(57)【特許請求の範囲】
【請求項１】
甲板上に左右一対のフレームを起倒自在に配設し、当該フレームの先端部にそれぞれウインチを取り付けて形成したネットウインチを用いて甲板上に左右の袖網、身網およびコッド網とを有するかけまわし網を整反するかけまわし網の整反方法であって、前記両フレームを船首側に傾倒させた状態において前記両ネットウインチを揚網方向に回転させて前記かけまわし網を揚網し、続いて投網の準備として前記両フレームを船尾側に傾倒させて前記両ネットウインチを繰り出し方向に回転させて前記かけまわし網のコッド網と身網とを甲板上に整反しながら降ろし、続いて後から投網する袖網を巻いている一方のネットウインチを取りつけたフレームを船首側に傾倒させつつ両ネットウインチから両袖網を繰り出しながらかけまわし網を甲板上に整反し、続いて船尾側に傾倒している他方のフレームに取り付けられているネットウインチから袖網の全体を繰り出しながら整反し、当該他方の袖網全体が甲板上に繰り出された後に、当該他方のフレームを船首側に傾倒させて投網の待機状態とすることを特徴とするかけまわし網の整反方法。
【請求項２】
前記一対のフレームは、互いに独立して若しくは同時に既倒自在に形成されていることを特徴とする請求項１に記載のかけまわし網の整反方法。
【発明の詳細な説明】
【０００１】
【発明の属する技術分野】
本発明はかけまわし網の整反方法に係り、特に、かけまわし漁具を用いて漁獲操業を行なうかけまわし漁法に好適かけまわし網の整反方法に関する。
【０００２】
【従来の技術】
一般に、かけまわし漁業は、前方から後方に向かって袖網、身網およびコッド網を有するかけまわし網を、これとほぼ同一構成のトロール網と異なり、オッターボード等の強制拡網装置を一切用いないで拡網状態とさせて水中に投網して、漁獲操業するものである。
【０００３】
図１３は従来の一般的なかけまわし漁業の概略を示したもので、まず、船１が投網水域において、Ａ、Ｂ、Ｃ、Ｄ、Ａの各ポイントを通るようにほぼ矩形に航行する間に、最初にポイントＡにおいて樽２を投下し、続いて、ポイントＢにおいて９０度転舵してポイントＣに達するまで引き綱３Ｒを繰出し、ポイントＣにおいて転舵する間にかけまわし網４を一方の袖網４ａ、身網４ｃ、コッド網４ｄおよび他方の袖網４ｂの順に水中に投網し、続いて、ポイントＤにおいて９０度転舵して最初のポイントＡに戻るまでに他方の引き綱３Ｌを繰出し、ポイントＡにおいて樽２を船上に揚げる。続いて、ポイントＥまでかけまわし網２を曳網する流し行程において魚類を漁獲し、続いて、ポイントＦまでの寄せこぎ行程の間に船１から引出された引き綱３Ｒ，３Ｌを船上に巻上げ、その後、かけまわし網４を船上に揚網し、コッド網４ｄから魚類を魚槽内に収容する。
【０００４】
さらに、図１４から図１８に示す行程図を参照して、従来のかけまわし漁業の具体的な作業とそれに要する人員数を説明する。
【０００５】
行程１：投網前
右船尾の樽台５に樽２を載せておき、投樽の準備を行なう。
【０００６】
左袖手木ロープ６Ｌはコイルされている。
【０００７】
操業人数：０人。
【０００８】
行程２：投樽
樽台５から樽２を落とす（油圧でブリッジから操作）。
【０００９】
右舷リール７Ｒは、フリーの状態で、右舷スナッチ式トップローラ８Ｒを通って引き綱３Ｒが繰出されて行く。
【００１０】
操業人数：０人。
【００１１】
行程３：転舵
右舷の引き綱３Ｒが半分出たところで（６００ｍ）左へ９０°転舵する。
【００１２】
引き綱３Ｒのつなぎ目のスイベル９が出る時に、リール７Ｒにブレーキをかける。
【００１３】
操業人数：１人。
【００１４】
行程４：左手木ロープをスナッチ式トップローラへ入れる
転舵後、船尾にコイルされていた左袖手木ロープ６Ｌを右舷の引き綱３Ｒが走っている右舷スナッチ式トップローラ８Ｒへ入れる。
【００１５】
操業人数：２人。
【００１６】
行程５：リールストップ、右のワイヤと左袖手木ロープの連結
右の引き綱３Ｒが出終わると、リール７Ｒをストップして、ストッパワイヤ１０Ｒａをきかせた後、リール７Ｒを少し繰り出して張力をストッパ側にかける。フリーになった右の引き綱３Ｒをリール７Ｒに残っているワイヤから外して、左袖手木ロープ６Ｌと知恵の輪フック１１で連結する。
【００１７】
操業人数：５人。
【００１８】
行程６：ストッパワイヤ切断
ストッパワイヤ１０Ｒを切断すると、再び張力が引き綱３Ｒにかかり、左袖手木ロープ６Ｌと連結された右の引き綱３Ｒはスナッチ式トップローラ８Ｒから外れる。右のリール７Ｒに残っているワイヤの端部は、その場でコイルされる。
【００１９】
操業人数：５人。
【００２０】
行程７：投網
右の引き綱３Ｒに続いてかけまわし網４がスリップウェイ１３から繰り出される。網４の右袖手木ロープ６Ｒは左の引き綱３Ｌに知恵の輪フック１１で連結されており、スナッチ式トップローラ８Ｌを通ってリール７Ｌに巻かれている。
【００２１】
操業人数：０人。
【００２２】
行程８：左の引き綱繰り出し
網４に続いて左の引き綱３Ｌが繰出されて行く（リール７Ｌはフリー）。
【００２３】
この時、揚網時に使う両手木引寄せワイヤ１４Ｒ，１４Ｌを用意しておく（両舷のワーピングドラム１５Ｒ，１５Ｌに巻かれたワイヤ１４Ｒ，１４Ｌを中央の滑車１６を通して船尾まで持ってくる）。
【００２４】
操業人数：４人。
【００２５】
行程９：転舵
左舷の引き綱３Ｌが半分出たところで左へ９０°転舵する。
【００２６】
前回と同様にスイベル９が出る時に、リール７Ｌにブレーキをかける。
【００２７】
操業人数：１人。
【００２８】
行程１０：右リール残りワイヤを左スナッチ式トップローラへ入れる。
【００２９】
コイルされていた右舷のリール７Ｒの残りワイヤを左の引き綱３Ｌが走っている左舷スナッチ式トップローラ８Ｌへ大まわしで入れる。
【００３０】
操業人数：４人。
【００３１】
行程１１：左舷リールストップ
左の引き綱３Ｌが出終わると、リール７Ｌをストップしてストッパワイヤ１０Ｌａを取付け、ストッパをきかせた後、リール７Ｌを少し繰り出して張力をストッパ側にかける。フリーになった引き綱３Ｌを左リールの残りワイヤから外し、行程１０において大まわしで持ってきた右リールの残りワイヤと連結する。
【００３２】
操業人数：５人。
【００３３】
行程１２：ストッパワイヤ切断、引き綱の移動
ストッパワイヤ１０Ｌを切断すると、再び張力が引き綱３Ｌにかかり、左スナッチ式トップローラ８Ｌから外れて右スナッチ式トップローラ８Ｒへと移動する。この時、行程１１で外された左リール残り引き綱はコイルされている。左の引き綱３Ｌの繰出しが終了するころ、船１は投樽位置近くにすでに到着している。
【００３４】
操業人数：５人。
【００３５】
行程１３：樽とり準備
ストッパ切断と同時に右舷船首では樽とりの準備のため、カギ１７を持った甲板員が１人待機している。
【００３６】
操業人数：１人。
【００３７】
行程１４：揚樽
右舷船首からカギ１７を樽２にひっかけて引き綱３Ｒを取り、船尾まで持って行き、デリック付ワイヤ１８にて樽２を引き上げて樽台５に載せる。この時、左リールの残り引き綱は左スナッチ式トップローラ８Ｌを通して、大まわしで右船尾の樽台５のところまで持ってくる。
【００３８】
操業人数：４人。
【００３９】
行程１５：樽の引き綱と左リールの残り引き綱を連結
ストッパワイヤ１０Ｒａを樽２についている引き綱３Ｒにかけて張力をストッパにかけ、フリーになった引き綱３Ｒを樽２から外し、行程１４で用意した左リールの残り引き綱に知恵の輪フック１１で連結する。
【００４０】
操業人数：４人。
【００４１】
行程１６：ストッパワイヤ切断、引き綱の移動
ストッパワイヤ１０Ｒを切断すると、再び張力が引き綱３Ｒにかかり、樽２についていた引き綱３Ｒは左スナッチ式トップローラ８Ｌへと移動する。
【００４２】
操業人数：２人。
【００４３】
行程１７：流し開始
両舷リール７Ｒ，７Ｌを若干巻いて曳網状態に入る。
【００４４】
船速は３〜５ノット（ｋｔ）程度で３０分間程度流す。
【００４５】
この間に揚網用デリック付ワイヤを用意し、第２甲板では前操業の漁獲物の仕分けが行われる。
【００４６】
操業人数：２人。
【００４７】
行程１８：寄せこぎ開始
流し開始３０分程度後、次に寄せこぎ（４５分程度）が開始される。
【００４８】
この間に揚網された両袖網４ａ、４ｂをひっくり返すためのモッコ網（図示せず）が用意される。
【００４９】
操業人数：２人。
【００５０】
行程１９：リールストップと手木引寄せワイヤ連結
寄せこぎ（巻揚げ）後、両手木１９Ｒ，１９Ｌが上がると、ウインチによりリール７Ｒ，７Ｌをストップさせて、行程８で用意しておいた両手木引寄せワイヤ１４Ｒ，１４Ｌを両手木１９Ｒ，１９Ｌにフックで連結させる。
【００５１】
操業人数：４人。
【００５２】
行程２０：強制曳網（魚の追込み）
両舷のリール７Ｒ，７Ｌを繰り出して張力を中央の手木引寄せワイヤ１４Ｒ，１４Ｌにかける。右の引き綱３Ｒは樽２を連結するために、左の引き綱３Ｌより多く出しておく。
【００５３】
この時、両舷の引き綱３Ｒ，３Ｌはフリーの状態になっている。
【００５４】
その後、海面に網４が上がってくるまで強制曳網を行う。
【００５５】
操業人数：８人。
【００５６】
行程２１：両手木引き上げ
手木引寄せワイヤ１４Ｒ，１４Ｌで両手木１９Ｒ，１９Ｌを甲板まで上げた後、両引き綱３Ｒ，３Ｌを手木１９Ｒ，１９Ｌから外して船尾にコイルする。デリック付ウインチ（図示せず）にてストロップがけをして両手木１９Ｒ，１９Ｌをつり上げ、ペンネントは手ぐりでコイルされる。
【００５７】
操業人数：１３人。
【００５８】
行程２２：揚網
ストロップがけで左右のデリック付ワイヤ１８を交互に使いながら揚網していく。ストロップ回数は左右各７〜８回で合計１５回程度。
【００５９】
両袖網４ａ、４ｂはデリック付ワイヤ１８から降ろされる時に、それぞれ人力で捌かれ、用意されたモッコの上に置かれていく。
【００６０】
操業人数：１３人。
【００６１】
行程２３：コッド網揚げ
ストロップがけでコッド網４ｄが上がると船尾のハッチ２１を開けて、漁獲物を第２甲板に落としてハッチ２１を閉じる。
【００６２】
操業人数：１３人。
【００６３】
行程２４：網整反後各引き綱連結
漁獲物収納後、デリック付ワイヤ１８を用いて網４を整反する。左袖網４ｂはモッコに乗せて船尾に移動してひっくり返す。ペンネントはコイルされる。右手木１９Ｒおよび右袖網４Ａは甲板前方の位置において、大まわしで左スナッチ式トップローラ８Ｌを通った左の引き綱３Ｌと連結される。右の引き綱３Ｒは右スナッチ式トップローラ８Ｒを通って樽２と連結される。
【００６４】
投網準備に入る。
【００６５】
操業人数：１３人。
【００６６】
このようにして、従来のかけまわし漁業が行なわれている。
【００６７】
【発明が解決しようとする課題】
しかしながら、今日の漁業をとりまく環境は年々厳しくなるのが実情であり、特に漁業に従事する人の人員不足、高齢化等が深刻な問題を提起している。
【００６８】
このような状況において、前記した従来のかけまわし漁法においては、作業に要する人員数が非常に多く、しかもその作業は重労働なものであった。特に、船上において、かけまわし網を次の投網のために所定位置に再配置するように捌く作業の大部分が、人手により行わなければならず、非常に大変なものであった。また、人手による作業が多いために作業効率が悪く、かけまわし網の投揚網に長時間を要し、漁獲効率も悪いという問題を有している。
【００６９】
さらに、前記船の甲板の面積が極めて狭く、しかも、ワープウインチのリールが船の船首寄りに配置されているため、引き綱等の引き出しあるいは巻き上げ時に、引き綱が長い距離にわたって甲板上を移動することになり、この引き綱が作業者に絡まったりするおそれがあり、極めて危険であるという問題をも有している。
【００７０】
この問題点を解決するために本出願人は特開平８−１７２９７８号公報を提案している。
【００７１】
本発明はこれらの点に鑑みてなされたものであり、甲板上において少ない人手により迅速にかつ確実にかけまわし網を整反することができ、かけまわし網の整反作業を容易に且つ確実に行うことができ、安全で作業効率および漁獲効率を向上させることのできるかけまわし漁法を提供することを目的とするものである。
【００７２】
【課題を解決するための手段】
前記目的を達成するため本発明に係るかけまわし網の整反方法は、甲板上に左右一対のフレームを起倒自在に配設し、当該フレームの先端部にそれぞれウインチを取り付けて形成したネットウインチを用いて甲板上に左右の袖網、身網およびコッド網とを有するかけまわし網を整反するかけまわし網の整反方法であって、前記両フレームを船首側に傾倒させた状態において前記両ネットウインチを揚網方向に回転させて前記かけまわし網を揚網し、続いて投網の準備として前記両フレームを船尾側に傾倒させて前記両ネットウインチを繰り出し方向に回転させて前記かけまわし網のコッド網と身網とを甲板上に整反しながら降ろし、続いて後から投網する袖網を巻いている一方のネットウインチを取りつけたフレームを船首側に傾倒させつつ両ネットウインチから両袖網を繰り出しながらかけまわし網を甲板上に整反し、続いて船尾側に傾倒している他方のフレームに取り付けられているネットウインチから袖網の全体を繰り出しながら整反し、当該他方の袖網全体が甲板上に繰り出された後に、当該他方のフレームを船首側に傾倒させて投網の待機状態とすることを特徴とする。
【００７３】
本発明に係るかけまわし網の整反方法によれば、ネットウインチを用いてかけまわし網の揚網を行なうことができ、前記ネットウインチのリールを回転させることにより先に投網される側の袖網を甲板上に引出し、他方の袖網をその後に投網されるようにしてかけまわし網を次の投網のために用意させるように整反することができ、これにより、少ない人手により迅速にかつ確実にかけまわし網を投揚網するように整反することができ、作業効率および漁獲効率を向上させることができる。更に、フレームを作業に応じて起倒させることにより、ウインチを適正位置に配置させて操業することができ、かけまわし網の整反作業を容易に且つ確実に行うことができ等の効果を奏する。
【００７４】
また、好ましくは、前記一対のフレームは、互いに独立して若しくは同時に既倒自在に形成されていることを特徴とする。これによりウインチをより確実に適正位置に配置させて操業することができ、かけまわし操業の効率を向上させることができる。
【００７５】
【発明の実施の形態】
以下、本発明の実施の形態を図１から図１２を参照して説明する。
【００７６】
図１は本発明に係るかけまわし網の整反方法とかけまわし漁法に用いるかけまわし漁法用船の一実施例を示したもので、この船１の甲板上の船尾寄り左右舷には、ワープウインチ７のリール７Ｒ，７Ｌがそれぞれ回転駆動自在に配置されており、このリール７Ｒ，７Ｌを回転駆動させることにより、右舷および左舷の引き綱３Ｒ，３Ｌをそれぞれ巻き上げるようになされている。また、本実施形態においては、図１〜図３に示すように、前記船１の船首寄り中央には、かけまわし網４の投揚網に使用されるネットウインチ２２が配置されている。このネットウインチ２２は、左右一対の独立的に起倒自在として甲板上に設置したフレーム２３Ｒ、２３Ｌの上端部に、それぞれウインチ２４Ｒ、２４Ｌを互いに独立回転自在に片持ち梁状にして設けて、一対で門形となるように形成されている。各ウインチ２４Ｒ、２４Ｌは、フレーム２３Ｒ、２３Ｌの上端部に設けられている油圧モータ等の駆動源２５Ｒ、２５Ｌによりリール２６Ｒ、２６Ｌを回転するようにされている。また、フレーム２３Ｒ、２３Ｌは、起倒用シリンダ２７Ｒ、２７Ｌのピストン２８Ｒ、２８Ｌを伸縮させることにより、例えば直立位置から船首側に３０度、船尾側に４５度の範囲で起倒させられるようになっている。また、前記船１の船尾中央部には、船１からのかけまわし網４の投揚網を行なうためのスリップウェイ１３が形成されている。その他の構成は必要に応じて従来公知のものと同様の構成のものを設置するとよい。
【００７７】
次に、前記実施例の船１を用いたかけまわし網の整反方法とかけまわし漁法について、図４から図１０に示す行程図により、具体的な作業とそれに要する人員数とを行程順に説明する。
【００７８】
行程１：投樽準備
左舷の引き綱３Ｌを左舷の樽２のストッパフック２ａに連結しておく（左舷スナッチ式トップローラ８Ｌを介してギャロス２９を大回しする）。
【００７９】
右袖の手木押さえロープ３３Ｒと引き綱３Ｒとを連結し、右舷に準備しておく（右舷スナッチ式トップローラ８Ｒを介してギャロス２９を大回しする）。
【００８０】
船尾甲板には、身網４ｃ、コッド網４ｄ、左袖網４ｂ、ペンネント３４、手木１９Ｌが準備されている。右袖網４ａは、ネットウインチ２２の右舷部のリール２２Ｒに巻回されたままである。
【００８１】
操業人数：０人。
【００８２】
行程２：投樽
左舷より樽２をレッコする（油圧操作）。
【００８３】
左舷の引き綱３Ｌは、左舷スナッチ式トップローラ８Ｌを介しワープウインチ７のリール７Ｌがフリーの状態で繰り出される。
【００８４】
操業人数：０人。
【００８５】
行程３：転舵
引き綱３Ｌが半分程度繰出された後、左へ約９０゜転舵する。
【００８６】
左袖網４ｂの手木押さえロープ３３Ｌは、左舷船尾でコイルされる。
【００８７】
操業人数：２人。
【００８８】
行程４：手木押さえロープ連結
左舷の引き綱３Ｌの末端が左舷スナッチ式トップローラ８Ｌの手前まで繰り出された所でワープウインチ７をストップさせ、スリップウェイローラ３０のストッパフックに引き綱３Ｌの末端を掛ける（以下ストッパワイヤ１０Ｌ）。
【００８９】
左舷のワープウインチ７の引寄せワイヤ３５Ｌを引き綱３Ｌから外す。
【００９０】
左袖手木押さえロープ３３Ｌと引き綱３Ｌの末端を知恵の輪フック１１を用いて連結する。
【００９１】
操業人数：３人。
【００９２】
行程５：ストッパ切断投網開始
ストッパワイヤ１０Ｌを切り、左袖網４ｂを投網する。続いてコッド網４ｄ、身網４ｃが投網される。
【００９３】
この間に左舷のワープウインチ７の引寄せワイヤ３５Ｌは、船尾にコイルしておく。
【００９４】
操業人数：１人。
【００９５】
行程６：右袖投網と綱連結
右袖側が張ってくるとネットウインチ２２の右舷側リール２２Ｒのブレーキをゆるめ右袖網４ａを順次投網する。
【００９６】
右手木１９Ｒがスリップウェイローラ３０付近まで繰出した所で、ネットウインチ２２をストップさせ、右袖の手木押さえロープ３３Ｒを手木１９Ｒに連結する。
【００９７】
操業人数：４人。
【００９８】
行程７：ストッパ切断、右袖網繰出し
ネットウインチ引寄せワイヤ３６Ｒのストッパフックを切断して、右袖網４ａを投網する。
【００９９】
続いて、右舷の手木押さえロープ３３Ｒと右舷側のワープウインチ７のリール７Ｒに巻かれた右舷の引き綱３Ｒとがワープウインチ７のフリー状態（ブレーキ投網）で繰出される。
【０１００】
操業人数：２人。
【０１０１】
行程８：転舵
右舷の引き綱３Ｒが半分程度繰出された後、左へ約９０゜転舵する。
【０１０２】
揚網準備の為、ネットウインチ引寄せワイヤ３６Ｒ，３６Ｌを繰出しておく。
【０１０３】
右舷の引き綱３Ｒの末端が右舷スナッチ式トップローラ８Ｒの手前まで繰出された所でワープウインチ７をストップさせる。
【０１０４】
操業人数：３人。
【０１０５】
行程９：樽揚げ、右舷の引き綱を左舷ウインチへ移動
左舷ワープウインチ７のリール７Ｌの引寄せワイヤ３５Ｌを左舷スナッチ式トップローラ８Ｌを介して左舷ギャロス２９を大回しし、左舷船尾に準備する。
【０１０６】
左舷船首からカギで樽ロープを引掛け、船尾でカギに連結したロープを巻き、樽２を揚げる（樽吊上げ用ポスト（図示せず）を使用）。
【０１０７】
左舷ワープウインチ７のリール７Ｌの引寄せワイヤ３５Ｌと樽２に連結されていた左舷の引き綱３Ｌの末端とを連結し、樽２のストッパを切り、左舷の引き綱３Ｌを左舷リール７Ｌ側に移動させる。
【０１０８】
操業人数：５人。
【０１０９】
行程１０：流し、寄せこぎ、揚網開始
引き綱３Ｌとワープウインチ７の左舷リール７Ｌとの連結が終了したら、流し（曳網＝１５〜２０分程度）、寄せこぎ（３０分程度）に入る。
【０１１０】
操業人数：０人。
【０１１１】
行程１１：ウインチストップ手木引寄せワイヤ連結
寄せこぎ後、両手木１９Ｒ，１９Ｌがスナッチ式トップローラ８Ｒ，８Ｌまで揚がると、ワープウインチ７をストップさせる。
【０１１２】
ネットウインチ引寄せワイヤ３６Ｒ，３６Ｌを両舷の手木１９Ｒ，１９Ｌにそれぞれ連結する。
【０１１３】
操業人数：３人。
【０１１４】
行程１２：強制曳網と綱繰出し
ネットウインチ２２を巻きながら、両舷ワープウインチ７は繰り出す。網４の張力はネットウインチ引寄せワイヤ３６Ｒ，３６Ｌに掛ける（引き綱３Ｒ，３Ｌは無テンションとなる）。
【０１１５】
同時に両舷手木押さえロープ３３Ｒ，３３Ｌを繰出し、船尾部にコイルする。
【０１１６】
ネットウインチ２２をストップさせて網４が海面に揚がってくるまで強制曳網を行なう。
【０１１７】
操業人数：５人。
【０１１８】
行程１３：手木引揚げ、綱取り外し
網４が海面まで浮上したら、ネットウインチ２２を巻きあげ、手木１９Ｒ，１９Ｌを甲板まで揚げる。
【０１１９】
両手木１９Ｒ，１９Ｌから手木押さえロープ３３Ｒ，３３Ｌを外す。左舷の引き綱３Ｌは、ギャロス２９を大回しし、樽２のストッパフック２ａに連結する。
【０１２０】
左舷手木押さえロープ３３Ｌは、左舷船尾にコイルされ、右舷の引き綱３Ｒと右舷手木押さえロープ３３Ｒは、右舷船尾にコイルされる。
【０１２１】
操業人数：５人。
【０１２２】
行程１４：揚網
手木１９、ペンネント３４に続いて袖網４ａ、４ｂと身網４ｃを、図１１（ａ）に示すように、船首側に倒したネットウインチ２２の左右の両リール２６Ｒ、２６Ｌに巻き揚げる。
【０１２３】
両袖網４ａ、４ｂを巻く時は、左右それぞれ浮子側と沈子側に１人ずつ就いて網４を捌きながら左右のリール２６Ｒ、２６Ｌに分けて巻き揚げる。身網４ｃ以降は左右のリール２６Ｒ、２６Ｌの両方に合わせて同時に巻き揚げる。
【０１２４】
操業人数：６人。
【０１２５】
行程１５：コッド網揚げ
スリップウェイ１３にコッド網４ｄの頭が揚がったら、図１１（ｂ）に示すように、ネットウインチ２２を更に継続回転させてコッド網４ｄを揚げる。
【０１２６】
コッド網４ｄを引揚げながら、コッド横チャックを切断し、船尾ハッチ２１から魚を処理場へおろす。
【０１２７】
操業人数：６人。
【０１２８】
行程１６：投網準備（コッド網移動）
最後に船尾ポストに取付けたコッド網吊上げ用ポスト（図示せず）を使用し、漁獲物を処理場におろす。
【０１２９】
魚を出した後、図１２（ａ）に示すように、ネットウインチ２２を船尾側に倒して逆転させ、ギャロス２９上の電動ホイスト３７やデリック３８を使用し、再びコッド網４ｄを右舷船尾に引出す。
【０１３０】
操業人数：５人。
【０１３１】
行程１７：投網準備（身網繰出し）
両舷のフレーム２３Ｒ，２３Ｌを船尾側に倒し、ネットウインチ２２を逆転させ、身網４ｃをある程度整反しながら前天井付近まで右舷側に山積みする。なお、ネットウインチ２２から網４が繰出される時は、左右舷５人で適宜捌く。
【０１３２】
電動ホイスト３７およびカーゴウインチ（図示せず）を使用して（モッコ網を併用しながら）網４を船尾に移動させる。
【０１３３】
操業人数：６人。
【０１３４】
行程１８：投網準備（左袖網繰出し）
身網４ｃの前天井部を出し終えたら、次に図１２（ｂ）に示すように、ネットウインチ２２の左舷のフレーム２３Ｌを船尾側に倒し、リール２２Ｌを逆転させながら、左袖網４ｂを適度の速度で繰出しながら捌き整反する。この時、浮子、網地、沈子と分担し４名でモッコ網を下に敷いて奥袖を下にして順次網を載せて行く。
【０１３５】
ペンネント３４、手木１９Ｌまで繰出した後、左舷ネットウインチ引寄せワイヤ３６Ｌを手木１９Ｌと切断する。
【０１３６】
操業人数：４人。
【０１３７】
行程１９：投網準備（左袖網移動）
図１２（ｃ）に示すように、船尾ギャロス２９の電動ホイスト３７を使用し、左袖モッコ網を船尾に移動させ、左舷にコイルされていた手木押さえロープ３３Ｌの片端と左袖手木１９Ｌを連結する（モッコ網は除去）。
【０１３８】
操業人数：４人。
【０１３９】
行程２０：投網準備終了
投網準備終了となり、行程１に戻る。
【０１４０】
以上の手順により、かけまわし漁業を行なうようになっている。
【０１４１】
この場合に、本実施例においては、ネットウインチ２２を用いてかけまわし網４の揚網を行なうことができ、前記ネットウインチ２２の両リール２６Ｒ、２６Ｌを回転させることにより先に投網される側の袖網を甲板上に引出し、他方の袖網をその後に投網されるようにしてかけまわし網４を次の投網のために用意させることができ、これにより、少ない人手により迅速にかつ確実にかけまわし網を投揚網することができ、作業効率および漁獲効率を向上させることができる。更に、フレームを作業に応じて起倒させることにより、ウインチ２４Ｒ、２４Ｌを適正位置に配置させて操業することができ、かけまわし網４の整反作業を容易に且つ確実に行うことができる等の効果を奏する。
【０１４２】
また、前記ウインチ２４Ｒ、２４Ｌはフレーム２３Ｒ、２３Ｌに片持ち梁状にして設けられていることにより、ウインチ２４Ｒ、２４Ｌをより確実に適正位置に配置させて操業することができ、かけまわし操業の効率を向上させることができる。
【０１４３】
なお、本発明は前記実施例に限定されるものではなく、必要に応じて変更することができる。例えば、ネットウインチの両フレーム２３Ｒ，２３Ｌを常に同時に起倒自在に形成するようにしてもよい。
【０１４４】
【発明の効果】
以上述べたように本発明に係るかけまわし網の整反方法は、少ない人手により迅速にかつ確実にかけまわし網を投揚網することができ、かけまわし網の整反作業を容易に且つ確実に行うことができ、安全で作業効率および漁獲効率を向上させることができる等の優れた効果を奏する。
【図面の簡単な説明】
【図１】  本発明のかけまわし網の整反方法を行なうかけまわし漁法用船の一実施例を示す概略斜視図
【図２】  本発明のネットウインチを示す正面図
【図３】  図２の右側面図
【図４】  本発明のかけまわし網の整反方法とかけまわし漁法の１実施例の行程１から行程３を示す平面図
【図５】  本発明のかけまわし網の整反方法とかけまわし漁法の１実施例の行程４から行程６を示す平面図
【図６】  本発明のかけまわし網の整反方法とかけまわし漁法の１実施例の行程７から行程９を示す平面図
【図７】  本発明のかけまわし網の整反方法とかけまわし漁法の１実施例の行程１０から行程１２を示す平面図
【図８】  本発明のかけまわし網の整反方法とかけまわし漁法の１実施例の行程１３から行程１５を示す平面図
【図９】  本発明のかけまわし網の整反方法とかけまわし漁法の１実施例の行程１６から行程１８を示す平面図
【図１０】  本発明のかけまわし網の整反方法とかけまわし漁法の１実施例の行程１９およびから行程２０を示す平面図
【図１１】  （ａ）および（ｂ）は本発明のかけまわし網の整反方法とかけまわし漁法の揚網工程を示す斜視図
【図１２】  （ａ）から（ｃ）は本発明のかけまわし網の整反方法とかけまわし漁法の投網準備工程を示す斜視図
【図１３】  従来のかけまわし漁法の概要を示す説明図
【図１４】  従来のかけまわし漁法を示す行程１から行程５を示す平面図
【図１５】  従来のかけまわし漁法を示す行程６から行程１０を示す平面図
【図１６】  従来のかけまわし漁法を示す行程１１から行程１５を示す平面図
【図１７】  従来のかけまわし漁法を示す行程１６から行程２０を示す平面図
【図１８】  従来のかけまわし漁法を示す行程２１から行程２４を示す平面図
【符号の説明】
１  船
３  引き綱
４  かけまわし網
４ａ、４ｂ  袖網
４ｃ  身網
４ｄ  コッド網
７  ワープウインチのリール
８  トップローラ
１３  スリップウェイ
２２  ネットウインチ
２３Ｒ，２３Ｌ  フレーム
２４Ｒ，２４Ｌ  ウインチ
２６Ｒ，２６Ｌ  リール
【図１】
0003803572.tif 000002
【図２】
0003803572.tif 000003
【図３】
0003803572.tif 000004
【図４】
0003803572.tif 000005
【図５】
0003803572.tif 000006
【図６】
0003803572.tif 000007
【図７】
0003803572.tif 000008
【図８】
0003803572.tif 000009
【図９】
0003803572.tif 000010
【図１０】
0003803572.tif 000011
【図１１】
0003803572.tif 000012
【図１２】
0003803572.tif 000013
【図１３】
0003803572.tif 000014
【図１４】
0003803572.tif 000015
【図１５】
0003803572.tif 000016
【図１６】
0003803572.tif 000017
【図１７】
0003803572.tif 000018
【図１８】
0003803572.tif 000019